(57)【要約】【課題】第１のコネクタに第２のコネクタが嵌合連結されるとき、第１のコネクタのシェル部材と第２のコネクタのシェル部材とが電気的に相互接続された状態が適正かつ確実に得られることになる相互係合コネクタ装置を提供する。【解決手段】リセプタクルコネクタ１１のシェル部材１６に接触係合部２０が設けられるとともにプラグコネクタ１２のシェル部材２６に接触係合部３５が設けられ、接触係合部２０及び３５のうちの一方に係合突起部２１と接触突起部２２とが配列配置されるとともに、接触係合部２０及び３５のうちの他方に接触受け部３６と係合受け部３７とが配列配置され、接触係合部３５が接触係合部２０との係合状態をとるとき、係合突起部２１が接触受け部３６に対する摺接を行った後に係合受け部３７に係合するとともに、接触突起部２２が係合突起部２１による摺接を受けた接触受け部３６に当接接触する。【選択図】図９
2017199527.tif 000002
【特許請求の範囲】
【請求項１】
回路基板の部品搭載面に固定される第１のハウジング，該第１のハウジングに配列配置されて上記回路基板の部品搭載面に設けられた複数の端子部に夫々接続される複数の第１のコンタクト、及び、上記第１のハウジングを部分的に覆う第１のシェル部材を備えて上記回路基板に装着される第１のコネクタと、
上記第１のハウジングとの嵌合状態をとる第２のハウジング，該第２のハウジングに配列配置され、上記第２のハウジングが上記第１のハウジングとの嵌合状態をとるとき、上記複数の第１のコンタクトに夫々接触接続される状態をとる複数の第２のコンタクト、及び、上記第２のハウジングを部分的に覆う第２のシェル部材を備えた第２のコネクタと、
を含んで構成され、
上記第１のシェル部材に第１の接触係合部が設けられるとともに上記第２のシェル部材に上記第１の接触係合部との係合状態をとるものとされた第２の接触係合部が設けられ、
上記第１の接触係合部及び上記第２の接触係合部のうちの一方に、係合突起部と接触突起部とが上記第２のハウジングについての上記第１のハウジングに対する嵌合方向に沿う方向に配列配置されるとともに、上記第１の接触係合部及び上記第２の接触係合部のうちの他方に、接触受け部と係合受け部とが上記嵌合方向に沿う方向に配列配置され、
上記第２の接触係合部が上記第１の接触係合部との係合状態をとるとき、上記係合突起部が上記接触受け部に対する摺接を行った後に上記係合受け部に係合するとともに、上記接触突起部が上記係合突起部による摺接を受けた上記接触受け部に当接接触することを特徴とする相互係合コネクタ装置。
【請求項２】
上記第１の接触係合部に、上記係合突起部と上記接触突起部とが上記第２のハウジングについての上記第１のハウジングに対する嵌合方向において上記接触突起部が外側となり上記係合突起部が内側となる状態をもって配置されるとともに、上記第２の接触係合部に、上記接触受け部と上記係合受け部とが上記嵌合方向において上記接触受け部が外側となり上記係合受け部が内側となる状態をもって配置されることを特徴とする請求項１記載の相互係合コネクタ装置。
【請求項３】
上記第２の接触係合部に、上記係合突起部と上記接触突起部とが上記第２のハウジングについての上記第１のハウジングに対する嵌合方向において上記係合突起部が外側となり上記接触突起部が内側となる状態をもって配列配置されるとともに、上記第１の接触係合部に、上記接触受け部と上記係合受け部とが上記嵌合方向において上記係合受け部が外側となり上記接触受け部が内側となる状態をもって配列配置されることを特徴とする請求項１記載の相互係合コネクタ装置。
【請求項４】
上記係合突起部と上記接触突起部とが、同形を成すものとして形成されることを特徴とする請求項１記載の相互係合コネクタ装置。
【請求項５】
上記接触受け部が凹部を成すものとして形成されることを特徴とする請求項１記載の相互係合コネクタ装置。
【請求項６】
上記係合受け部が透孔を成すものとして形成されることを特徴とする請求項１記載の相互係合コネクタ装置。
【請求項７】
上記複数の第１のコンタクトが上記第１のハウジングの長手方向に沿って配列されて、上記第１のシェル部材が該第１のシェル部材の長手方向を上記第１のハウジングの長手方向に合致させて配されるもとで、上記第１の接触係合部が上記第１のシェル部材における長手方向の一対の端部の夫々に設けられ、また、上記第２のハウジング及び上記第２のシェル部材が各々の長手方向を上記第１のハウジングの長手方向に合致させて配されるもとで、上記第２の接触係合部が上記第２のシェル部材における長手方向の一対の端部の夫々に設けられることを特徴とする請求項１記載の相互係合コネクタ装置。
【発明の詳細な説明】
【技術分野】
【０００１】
本願の特許請求の範囲に記載された発明は、回路基板（配線基板を含む）に装着される第１のコネクタとケーブルや配線基板（フレキシブル印刷配線基板（FPC)を含む。）等が接続される第２のコネクタとを含み、第１のコネクタに第２のコネクタが嵌合連結されることにより、第２のコネクタに連結されたケーブルや配線基板等を第１のコネクタが装着された回路基板に電気的に接続する相互係合コネクタ装置に関する。
【背景技術】
【０００２】
複数の比較的細いケーブルや比較的小型なフレキシブル印刷配線基板を、各種の電気部品が取り付けられる回路基板に接続するにあたっては、複数のケーブルあるいはフレキシブル印刷配線基板が接続されるプラグコネクタと、回路基板にそれとの電気的接続がなされて固定され、プラグコネクタが嵌合連結されるリセプタクルコネクタと、が用いられることが多い。プラグコネクタには、複数のケーブルあるいはフレキシブル印刷配線基板との電気的接続がなされて配列配置される複数のプラグ側導電コンタクトが配される嵌合凸部が設けられる。また、リセプタクルコネクタには、プラグコネクタに設けられた嵌合凸部が挿入される嵌合凹部が設けられ、その嵌合凹部内において、各々の一端部が端子部とされて回路基板に接続されるもとで配列配置される複数のリセプタクル側導電コンタクトに、嵌合凹部に挿入されたプラグコネクタの嵌合凸部における複数のプラグ側導電コンタクトが、夫々押圧接触するものとされる。
【０００３】
プラグコネクタにおける嵌合凸部は、絶縁材料によって構成されて複数のプラグ側導電コンタクトを支持するプラグ側ハウジングの一部として形成され、また、リセプタクルコネクタにおける嵌合凹部は、絶縁材料によって構成されて複数のリセプタクル側導電コンタクトを支持するリセプタクル側ハウジングの一部として形成される。そして、複数のケーブルあるいはフレキシブル印刷配線基板が接続されたプラグコネクタにおける嵌合凸部が、回路基板に固定されたリセプタクルコネクタにおける嵌合凹部に挿入される際には、プラグ側ハウジングがリセプタクル側ハウジングとの嵌合状態をとってプラグコネクタがリセプタクルコネクタに嵌合連結され、複数のプラグ側導電コンタクトと複数のリセプタクル側導電コンタクトとが相互接触接続状態におかれる。その結果、プラグコネクタに接続された複数のケーブルあるいはフレキシブル印刷配線基板が、複数のプラグ側導電コンタクト及び複数のリセプタクル側導電コンタクトを介して、リセプタクルコネクタが固定された回路基板に電気的に接続される。
【０００４】
このようなプラグコネクタ及びリセプタクルコネクタの夫々にあっては、複数のプラグ側導電コンタクトあるいは複数のリセプタクル側導電コンタクトについて、それらの特性インピーダンス調整に貢献するものとしての、さらには、外部から到来する電磁波ノイズあるいは外部へと発せられる電磁波ノイズに対するシールド効果を得るための、プラグ側ハウジングあるいはリセプタクル側ハウジングを部分的もしくは全体的に覆って配されて接地電位が与えられる導電性のシェル部材が備えられる。そして、プラグコネクタに備えられたシェル部材であるプラグ側シェル部材とリセプタクルコネクタに備えられたシェル部材であるリセプタクル側シェル部材とは、各々の役割を効果的に果たすべく、プラグコネクタがリセプタクルコネクタに嵌合連結されたときには電気的に相互接続されることが必要とされる。
【０００５】
それゆえ、従来にあっては、リセプタクル側シェル部材を備えたリセプタクルコネクタとプラグ側シェル部材を備えたプラグコネクタとを含んで構成され、リセプタクル側シェル部材とプラグ側シェル部材とが、それらのうちの一方に当接部が形成されるとともに他方に当接受け部が形成されて、プラグコネクタがリセプタクルコネクタに嵌合連結されたとき、当接部が当接受け部に接触することにより電気的に相互接続された状態におかれるものとされた相互係合コネクタ装置が提案されている（例えば、特許文献１参照。）。
【０００６】
特許文献１に示される相互係合コネクタ装置（電気コネクタ(1))は、リセプタクル側ハウジング（ハウジング(330))と、リセプタクル側ハウジングにそれを部分的に覆うように取り付けられたリセプタクル側シェル部材（シェル(310))と、を備えて回路基板に配され、回路基板との電気的接続がなされたリセプタクルコネクタ（基板側コネクタ(300))、及び、プラグ側ハウジング（ハウジング(20)) と、プラグ側ハウジングにそれを略全体的に覆うように取り付けられたプラグ側シェル部材（上シェル(10)及び下シェル(30)) と、を備えていて、複数のケーブル(4) が接続されるプラグコネクタ（ケーブル側コネクタ(100))を含んで構成されている。プラグ側ハウジングはリセプタクル側ハウジングとの嵌合状態をとり得るものとされており、プラグ側ハウジングがリセプタクル側ハウジングとの嵌合状態をとるときには、それによりプラグコネクタがリセプタクルコネクタとの嵌合連結状態におかれる。プラグコネクタがリセプタクルコネクタとの嵌合連結状態をとるときには、プラグ側シェル部材とリセプタクル側シェル部材とが電気的に相互接続される。
【０００７】
プラグ側シェル部材とリセプタクル側シェル部材とが電気的に相互接続される際には、プラグ側シェル部材を構成する上シエル(10)における突出部を成す部分(14a) が、リセプタクル側シェル部材における平坦面を成す外側面に当接接触するとともに、リセプタクル側シェル部材に設けられた突出部（部分(312))が、プラグ側シェル部材を構成する下シェル(30)における平坦面を成す外側面に当接接触し、それにより、プラグ側シェル部材とリセプタクル側シェル部材とについての電気的接続状態がとられる。
【先行技術文献】
【特許文献】
【０００８】
【特許文献１】特開２０１２−２４８３９０号公報
【発明の概要】
【発明が解決しようとする課題】
【０００９】
上述のような、従来提案されている、リセプタクル側シェル部材を備えたリセプタクルコネクタとプラグ側シェル部材を備えたプラグコネクタとを含んで構成され、プラグ側シェル部材とリセプタクル側シェル部材とが、それらのうちの一方に当接部が形成されるとともに他方に当接受け部が形成されて、プラグコネクタがリセプタクルコネクタに嵌合連結されたとき、当接部が当接受け部に接触することにより電気的に相互接続された状態におかれるものとされた相互係合コネクタ装置にあっては、次のような不都合が見られる。
【００１０】
上述の従来提案されている相互係合コネクタ装置においては、プラグ側シェル部材を構成する上シエルにおける突出部を成す部分がリセプタクル側シェル部材における平坦面を成す外側面に適正に当接接触するとともに、リセプタクル側シェル部材に設けられた突出部がプラグ側シェル部材を構成する下シェルにおける平坦面を成す外側面に適正に当接接触することによって、プラグコネクタがリセプタクルコネクタに嵌合連結されたもとにおいてプラグ側シェル部材とリセプタクル側シェル部材とが電気的に相互接続された状態が適正に得られることになる。そのため、リセプタクル側シェル部材における平坦面を成す外側面あるいはプラグ側シェル部材を構成する下シェルにおける平坦面を成す外側面に不所望な被膜や塵埃等が付着した場合には、プラグ側シェル部材を構成する上シエルにおける突出部を成す部分がリセプタクル側シェル部材における平坦面を成す外側面に適正に当接接触することができない事態、あるいは、リセプタクル側シェル部材に設けられた突出部がプラグ側シェル部材を構成する下シェルにおける平坦面を成す外側面に適正に当接接触することができない事態が生じ、プラグ側シェル部材とリセプタクル側シェル部材とが電気的に相互接続された状態が適正に得られないことになってしまう。
【００１１】
リセプタクル側シェル部材を備えたリセプタクルコネクタとプラグ側シェル部材を備えたプラグコネクタとを含んで構成される相互係合コネクタ装置において、リセプタクル側シェル部材における平坦面を成す外側面あるいはプラグ側シェル部材における平坦面を成す外側面に不所望な被膜や塵埃等が付着する事態は往々にして生じるところであり、従って、上述の従来提案されている相互係合コネクタ装置は、プラグ側シェル部材とリセプタクル側シェル部材とが電気的に相互接続された状態が正しく得られないことになる虞を伴っていることになる。
【００１２】
斯かる点に鑑み、本願の特許請求の範囲に記載された発明は、回路基板に装着される、例えば、リセプタクルコネクタとされる第１のコネクタと、例えば、複数のケーブルや配線基板が接続されるプラグコネクタとされる第２のコネクタとを含み、第１のコネクタが第１のシェル部材を備えるとともに第２のコネクタが第２のシェル部材を備えて構成されるもとで、第１のコネクタに第２のコネクタが嵌合連結されるとき、第１のシェル部材と第２のシェル部材とが電気的に相互接続された状態が適正かつ確実に得られることになる相互係合コネクタ装置を提供する。
【課題を解決するための手段】
【００１３】
本願の特許請求の範囲における請求項１から請求項７までのいずれかに記載された発明（以下、本願発明という。）に係る相互係合コネクタ装置は、回路基板の部品搭載面に固定される第１のハウジング，第１のハウジングに配列配置されて回路基板の部品搭載面に設けられた複数の端子部に夫々接続される複数の第１のコンタクト、及び、第１のハウジングを部分的に覆う第１のシェル部材を備えて回路基板に装着される第１のコネクタと、第１のハウジングとの嵌合状態をとる第２のハウジング，第２のハウジングに配列配置され、第２のハウジングが第１のハウジングとの嵌合状態をとるとき、複数の第１のコンタクトに夫々接触接続される状態をとる複数の第２のコンタクト、及び、第２のハウジングを部分的に覆う第２のシェル部材を備えた第２のコネクタと、を含んで構成される。そして、このような本願発明に係る相互係合コネクタ装置は、第１のシェル部材に第１の接触係合部が設けられるとともに第２のシェル部材に第１の接触係合部との係合状態をとるものとされた第２の接触係合部が設けられ、第１の接触係合部及び第２の接触係合部のうちの一方に、係合突起部と接触突起部とが第２のハウジングについての第１のハウジングに対する嵌合方向に沿う方向に配列配置されるとともに、第１の接触係合部及び第２の接触係合部のうちの他方に、接触受け部と係合受け部とが第２のハウジングについての第１のハウジングに対する嵌合方向に沿う方向に配列配置され、第２の接触係合部が第１の接触係合部との係合状態をとるとき、係合突起部が接触受け部に対する摺接を行った後に係合受け部に係合し、当該係合受け部により係止されるとともに、接触突起部が係合突起部による摺接を受けた接触受け部に当接接触することを特徴とするものとされる。
【００１４】
なお、上記「摺接」という用語は、擦りつつ移動する動作あるいは拭きつつ変位する動作を意味するものとして用いられている（以下において同様）。
【００１５】
上述のような本願発明に係る相互係合コネクタ装置にあっては、第２のコネクタの第２のハウジングが回路基板に装着された第１のコネクタの第１のハウジングとの嵌合状態をとって第２のコネクタが第１のコネクタとの嵌合連結状態におかれるとき、第２のコネクタの第２のシェル部材に設けられた第２の接触係合部が、第１のコネクタの第１のシェル部材に設けられた第１の接触係合部に対して、第２のハウジングについての第１のハウジングに対する嵌合方向（以下、ハウジング嵌合方向という。）に沿って移動して、第１の接触係合部との係合状態をとる。その際、第１の接触係合部及び第２の接触係合部のうちの一方にハウジング嵌合方向に沿う方向に配列配置された係合突起部及び接触突起部のうちの係合突起部が、第１の接触係合部及び第２の接触係合部のうちの他方にハウジング嵌合方向に沿う方向に配列配置された接触受け部及び係合受け部のうちの接触受け部に対する摺接を行って、換言すれば、接触受け部を擦りつつ移動して、その後係合受け部により係止されるとともに、係合突起部及び接触突起部のうちの接触突起部が、係合突起部による摺接を受けた、換言すれば、移動する係合突起部により擦られた接触受け部に当接接触する。それにより、第２のコネクタが第１のコネクタとの嵌合連結状態におかれるもとにおいて、第１のシェル部材と第２のシェル部材とが電気的に相互接続された状態が得られる。
【００１６】
このようなもとで、第１の接触係合部及び第２の接触係合部のうちの一方に配列配置された係合突起部と接触突起部とは、例えば、同形を成すものとして形成される。また、第１の接触係合部及び第２の接触係合部のうちの他方に配列配置された接触受け部及び係合受け部のうちの接触受け部は、例えば、凹部を成すものとして形成され、さらに、第１の接触係合部及び第２の接触係合部のうちの他方に配列配置された接触受け部及び係合受け部のうちの係合受け部は、例えば、透孔を成すものとして形成される。
【発明の効果】
【００１７】
本願発明に係る相互係合コネクタ装置においては、第２のコネクタの第２のハウジングが回路基板に装着された第１のコネクタの第１のハウジングとの嵌合状態をとって第２のコネクタが第１のコネクタとの嵌合連結状態におかれ、第２のシェル部材に設けられた第２の接触係合部が第１のシェル部材に設けられた第１の接触係合部との係合状態をとるとき、第１の接触係合部及び第２の接触係合部のうちの一方にハウジング嵌合方向に沿う方向に配列配置された係合突起部及び接触突起部のうちの係合突起部が、第１の接触係合部及び第２の接触係合部のうちの他方にハウジング嵌合方向に沿う方向に配列配置された接触受け部及び係合受け部のうちの接触受け部に対する摺接を行った後係合受け部により係止されるとともに、係合突起部及び接触突起部のうちの接触突起部が、係合突起部による摺接を受けた接触受け部に当接接触するので、接触突起部は、移動する係合突起部により擦られて、不所望な被膜や塵埃等が付着していたとしてもそれらが払い退けられたものとされた接触受け部に当接接触することになる。それにより、第２のコネクタが第１のコネクタとの嵌合連結状態におかれるもとにおいて、接触突起部が、接触受け部に付着した不所望な被膜や塵埃等により妨げられることなく、接触受け部に確実に接触するものとされて、第１のシェル部材と第２のシェル部材とが電気的に相互接続された状態が適正かつ確実に得られる。
【００１８】
また、本願発明に係る相互係合コネクタ装置においては、第２のシェル部材に設けられた第２の接触係合部が第１のシェル部材に設けられた第１の接触係合部との係合状態をとるとき、第１の接触係合部及び第２の接触係合部のうちの一方にハウジング嵌合方向に沿う方向に配列配置された係合突起部及び接触突起部のうちの係合突起部が、第１の接触係合部及び第２の接触係合部のうちの他方にハウジング嵌合方向に沿う方向に配列配置された接触受け部及び係合受け部のうちの係合受け部により係止されるので、第２の接触係合部の第１の接触係合部との係合状態が適正に維持される。それにより、第２のコネクタが第１のコネクタとの嵌合連結状態におかれるもとにおいて、第１のシェル部材と第２のシェル部材とが電気的に相互接続された状態が適正かつ安定に維持される。
【図面の簡単な説明】
【００１９】
【図１】本願発明に係る相互係合コネクタ装置の第１の例を構成するリセプタクルコネクタとプラグコネクタとを、リセプタクルコネクタが回路基板に装着されるとともに、プラグコネクタに複数のケーブルが接続された状態をもって示す斜視図である。
【図２】図１に示される回路基板に装着されたリセプタクルコネクタを、それからシェル部材が分離された状態をもって示す斜視図である。
【図３】図１に示される複数のケーブルが接続されたプラグコネクタを、それからシェル部材が分離された状態をもって示す斜視図である。
【図４】図１に示される複数のケーブルが接続されたプラグコネクタが図１に示される回路基板に装着されたリセプタクルコネクタに嵌合連結された状態を示す斜視図である。
【図５】図１に示される複数のケーブルが接続されたプラグコネクタが図１に示される回路基板に装着されたリセプタクルコネクタに嵌合連結された状態を示す平面図である。
【図６】図１に示される複数のケーブルが接続されたプラグコネクタが図１に示される回路基板に装着されたリセプタクルコネクタに嵌合連結された状態を示す側面図である。
【図７】図５における VII−VII 線断面を示す断面図である。
【図８】図５におけるVIII−VIII線断面を示す断面図である。
【図９】図５におけるIX−IX線断面を示す断面図である。
【図１０】図１に示される複数のケーブルが接続されたプラグコネクタが図１に示されるリセプタクルコネクタに嵌合連結される直前の状態を示す断面図である。
【図１１】図１に示される複数のケーブルが接続されたプラグコネクタが図１に示されるリセプタクルコネクタに嵌合連結される途中の状態を示す断面図である。
【図１２】本願発明に係る相互係合コネクタ装置の第２の例を構成するリセプタクルコネクタとプラグコネクタとを、プラグコネクタがそれに複数のケーブルが接続されたもとでリセプタクルコネクタに嵌合連結される直前の状態をもって示す断面図である。
【図１３】図１２に示される複数のケーブルが接続されたプラグコネクタが図１２に示されるリセプタクルコネクタに嵌合連結される途中の状態を示す断面図である。
【図１４】図１２に示される複数のケーブルが接続されたプラグコネクタが図１２に示されるリセプタクルコネクタに嵌合連結された状態を示す断面図である。
【発明を実施するための形態】
【００２０】
本願発明を実施するための形態は、以下に述べられる本願発明についての実施例をもって説明される。
【実施例】
【００２１】
図１は、本願発明に係る相互係合コネクタ装置の一例を構成する第１のコネクタを成すリセプタクルコネクタ１１と第２のコネクタを成すプラグコネクタ１２とを、リセプタクルコネクタ１１が回路基板１３に装着されるとともに、プラグコネクタ１２に複数のケーブル１４が接続された状態をもって示す。プラグコネクタ１２はリセプタクルコネクタ１１に嵌合連結されるものとされている。
【００２２】
図１に示される第１のコネクタを成すリセプタクルコネクタ１１は、合成樹脂等の絶縁材料によって形成されて回路基板１３の部品搭載面１３ａに固定されるハウジング１５（第１のハウジング）、及び、ハウジング１５の外表面を部分的に覆う状態をもってハウジング１５に取り付けられた導電性のシェル部材１６（第１のシェル部材）を備えている。
【００２３】
回路基板１３に装着されたリセプタクルコネクタ１１をハウジング１５からシェル部材１６を取り外した分解状態をもって示す図２にも示されるように、ハウジング１５には、嵌合凹部１７がハウジング１５の長手方向に沿って伸びる溝部を成すものとして設けられている。嵌合凹部１７には、プラグコネクタ１２がリセプタクルコネクタ１１に嵌合連結される際に、後述されるプラグコネクタ１２のハウジング２５（第２のハウジング）が挿入係合せしめられ、それにより、プラグコネクタ１２のハウジング２５がリセプタクルコネクタ１１のハウジング１５との嵌合状態をとる。
【００２４】
また、ハウジング１５には、各々が弾性を有した導電性板材により形成された屈曲帯状部材を成す複数のリセプタクル側コンタクト（第１のコンタクト）を成す第１のリセプタクル側コンタクト１８及び第２のリセプタクル側コンタクト１９が、ハウジング１５の長手方向に沿って交互に配列配置されている。第１のリセプタクル側コンタクト１８には、回路基板１３に対接するハウジング１５の底面部１５ａ（後述される図７及び図８に示されている。）側からハウジング１５外に突出して、回路基板１３の部品搭載面１３ａに設けられた信号端子部（図示が省略されている。）に、例えば、半田付けにより接続される基板接続部１８ａと、後述されるプラグコネクタ１２に備えられるプラグ側コンタクト（第２のコンタクト）に当接する接触接続部１８ｂとが設けられている。接触接続部１８ｂは、ハウジング１５に設けられた嵌合凹部１７内に臨むものとされている。また、第２のリセプタクル側コンタクト１９には、回路基板１３に対接するハウジング１５の底面部１５ａ側からハウジング１５外に突出して、回路基板１３の部品搭載面１３ａに設けられた信号端子部（図示が省略されている。）に、例えば、半田付けにより接続される基板接続部１９ａ（後述される図５，図７及び図８に示されている。）と、プラグコネクタ１２に備えられるプラグ側コンタクト（第２のコンタクト）に当接する接触接続部１９ｂとが設けられている。接触接続部１９ｂは、ハウジング１５に設けられた嵌合凹部１７内に臨むものとされている。
【００２５】
シェル部材１６は、例えば、金属板部材に打ち抜き・屈曲加工が施されて形成されており、ハウジング１５の長手方向に沿って伸びて、ハウジング１５における底面部１５ａ及び嵌合凹部１７が形成された部分を除く他の部分を部分的に覆うものとされている。従って、シェル部材１６は、その長手方向をハウジング１５の長手方向に合致させるものとされている。
【００２６】
斯かるもとで、図２にも示されるように、シェル部材１６には、その長手方向の一対の端部の夫々に、相互対向するものとして配された一対の接触係合部２０（第１の接触係合部）が設けられている。複数の接触係合部２０の夫々には、係合突起部２１と接触係合部２２とが、プラグコネクタ１２のハウジング２５とリセプタクルコネクタ１１のハウジング１５とについてのハウジング嵌合方向に沿う方向に配列配置されて設けられている。係合突起部２１と接触突起部２２とは、例えば、同形を成すものとして形成されていて、接触係合部２０に、ハウジング嵌合方向において接触突起部２２が外側となり係合突起部２１が内側となる状態をもって配置されている。
【００２７】
さらに、シェル部材１６には、ハウジング１５の外方に突出して、回路基板１３の部品搭載面１３ａに設けられた接地端子部（図示が省略されている。）に、例えば、半田付けにより接続される複数の接地接続部２４が設けられている。それにより、ハウジング１５が回路基板１３の部品搭載面１３ａに固定されたもとで、シェル部材１６における複数の接地接続部２４が回路基板１３の部品搭載面１３ａに設けられた接地端子部に接続されてシェル部材１６に接地電位が与えられるときには、シェル部材１６は、ハウジング１５の長手方向に沿って配列配置された第１及び第２のリセプタクル側コンタクト１８及び１９に対して電磁シールド作用を及ぼす。また、シェル部材１６に設けられた複数の接地接続部２４は、回路基板１３の部品搭載面１３ａに設けられた接地端子部に、例えば、半田付けされることにより、シェル部材１６が取り付けられたハウジング１５の回路基板１３の部品搭載面１３ａに対する固定に寄与するものとなる。
【００２８】
なお、図１及び図２に示されるシェル部材１６にあっては、接触係合部２０がシェル部材１６における長手方向の一対の端部の夫々に相互対向する対を成すものとして設けられているが、シェル部材１６における接触係合部２０は、必ずしも相互対向する対を成すものである必要はなく、さらには、一対の端部以外の位置に設けられてもよい。
【００２９】
図１に示される第２のコネクタを成すプラグコネクタ１2 は、合成樹脂等の絶縁材料によって形成されたハウジング２５、及び、ハウジング２５を部分的に覆う状態をもってハウジング２５に取り付けられるシェル部材２６（第２のシェル部材）を備えている。そして、プラグコネクタ１2 には、各々が同軸ケーブルとされた複数のケーブル１４が、ハウジング２５の長手方向に沿って配列配置されて接続されている。
【００３０】
複数のケーブル１４が接続されたプラグコネクタ１２をハウジング２５からシェル部材２６を取り外した分解状態をもって示す図３にも示されるように、ハウジング２５には、各々が弾性を有した導電性板材により形成された屈曲帯状部材を成す複数のプラグ側コンタクト（第２のコンタクト）を成す第１のプラグ側コンタクト２７及び第２のプラグ側コンタクト２８が、ハウジング２５の長手方向に沿って交互に配列配置されている。第１のプラグ側コンタクト２７には、後述される図７に示されるように、ケーブル１４の中心導体４０が信号接続部材３０を介して接続されるケーブル接続部２７ａと、リセプタクルコネクタ１１に備えられる第１のリセプタクル側コンタクト１８における接触接続部１８ｂが当接するものとされる当接受け部２７ｂとが設けられている。また、第２のプラグ側コンタクト２８には、後述される図８に示されるように、ケーブル１４の中心導体４０が信号接続部材３１を介して接続されるケーブル接続部２８ａと、リセプタクルコネクタ１１に備えられる第２のリセプタクル側コンタクト１９における接触接続部１９ｂが当接するものとされる当接受け部２８ｂとが設けられている。
【００３１】
また、ハウジング２５には、各々の中心導体４０が第１のプラグ側コンタクト２７のケーブル接続部２７ａ及び第２のプラグ側コンタクト２８のケーブル接続部２８ａのいずれかに接続されて配列配置された複数のケーブル１４の夫々の外側導体４１に接続された接地接続板部材３２が、ハウジング２５の長手方向に沿って伸びるものとして配されている。図７及び図８に示されるように、接地接続板部材３２は複数のケーブル１４の夫々の外側導体４１を挟む一対の導電性板材によって構成されている。
【００３２】
シェル部材２６は、例えば、金属板部材に打ち抜き・屈曲加工が施されて形成されており、ハウジング２５の長手方向に沿って伸びて、ハウジング２５における、第１のプラグ側コンタクト２７及び第２のプラグ側コンタクト２８が交互に配列配置され、さらに、接地接続板部材３２が配された部分を、全体的に覆うものとされている。従って、シェル部材２６は、その長手方向をハウジング２５の長手方向に合致させるものとされている。
【００３３】
斯かるもとで、図３にも示されるように、シェル部材２６には、その長手方向の一対の端部の夫々に、相互対向するものとして配された一対の接触係合部３５（第２の接触係合部）が設けられている。複数の接触係合部３５の夫々には、接触受け部３６と係合受け部３７とが、プラグコネクタ１２のハウジング２５とリセプタクルコネクタ１１のハウジング１５とについてのハウジング嵌合方向に沿う方向に配列配置されて設けられている。接触受け部３６は凹部を成すものとして形成されており、また、係合受け部３７は透孔を成すものとして形成されていて、接触受け部３６と係合受け部３７とは、接触係合部３５に、ハウジング嵌合方向において接触受け部３６が外側となり係合受け部３７が内側となる状態をもって配置されている。
【００３４】
また、ハウジング２５に配された接地接続板部材３２を覆うシェル部材２６の部分３８には、接地接続板部材３２に当接接触する複数の接触片部３８ａが内側に突出するものとして形成されている。シェル部材２６の部分３８に形成された複数の接触片部３８ａがハウジング２５に配された接地接続板部材３２に当接接触するときには、接地接続板部材３２とシェル部材２６とが同電位に保たれるものとされる。そして、接地接続板部材３２とシェル部材２６とに接地電位が与えられるときには、シェル部材２６は、ハウジング２５の長手方向に沿って配列配置された第１及び第２のプラグ側コンタクト２７及び２８に対して電磁シールド作用を及ぼす。
【００３５】
なお、図１及び図３に示されるシェル部材２６にあっては、接触係合部３５がシェル部材２６における長手方向の一対の端部の夫々に相互対向する対を成すものとして設けられているが、シェル部材２６における接触係合部３５は、必ずしも相互対向する対を成すものである必要はなく、さらには、一対の端部以外の位置に設けられてもよい。
【００３６】
上述のように、第１のコネクタを成すリセプタクルコネクタ１１にシェル部材１６が取り付けられるとともに、第２のコネクタを成すプラグコネクタ１２にシェル部材２６が取り付けられたもとで、回路基板１３に装着されたリセプタクルコネクタ１１のハウジング１５に設けられた嵌合凹部１７に複数のケーブル１４が接続されたプラグコネクタ１２のハウジング２５が挿入係合せしめられて、ハウジング２５がハウジング１５との嵌合状態をとるものとされるとき、図４〜図６に示されるように、プラグコネクタ１２がリセプタクルコネクタ１１との嵌合連結状態におかれる。なお、図５及び６においては、回路基板１３の図示が省略されている。
【００３７】
このようにして、プラグコネクタ１２がリセプタクルコネクタ１１との嵌合連結状態におかれたもとにあっては、図５における VII−VII 線断面を示す図７に示されるように、リセプタクルコネクタ１１に備えられた第１のリセプタクル側コンタクト１８における接触接続部１８ｂが、プラグコネクタ１２に備えられた第１のプラグ側コンタクト２７における当接受け部２７ｂに当接して、第１のプラグ側コンタクト２７が第１のリセプタクル側コンタクト１８との電気的接続状態におかれるとともに、図５におけるVIII−VIII線断面を示す図８に示されるように、リセプタクルコネクタ１１に備えられた第２のリセプタクル側コンタクト１９における接触接続部１９ｂが、プラグコネクタ１２に備えられた第２のプラグ側コンタクト２８における当接受け部２８ｂに当接して、第２のプラグ側コンタクト２８が第２のリセプタクル側コンタクト１９との電気的接続状態におかれる。第１のプラグ側コンタクト２７には、ケーブル１４の中心導体４０が信号接続部材３０を介して接続されており、第２のプラグ側コンタクト２８には、ケーブル１４の中心導体４０が信号接続部材３１を介して接続されている。
【００３８】
また、図５におけるIX−IX線断面を示す図９に示されるように、リセプタクルコネクタ１１のシェル部材１６における長手方向の端部に設けられた一対の接触係合部２０の夫々と、プラグコネクタ１２のシェル部材２６における長手方向の端部に設けられた一対の接触係合部３５の夫々とが、相互係合状態におかれる。接触係合部２０と接触係合部３５とが相互係合状態におかれたときには、接触係合部２０に設けられた係合突起部２１が、接触係合部３５に設けられた透孔を成す係合受け部３７に係合して当該係合受け部３７により係止されるとともに、接触係合部２０に設けられた接触突起部２２が、接触係合部３５に設けられた凹部を成す係合受け部３７に当接接触したものとされる。
【００３９】
接触係合部２０と接触係合部３５とが相互係合状態におかれるにあたっては、図１０に示されるように、先ず、プラグコネクタ１２のシェル部材２６における長手方向の端部に設けられた一対の接触係合部３５が、リセプタクルコネクタ１１のシェル部材１６における長手方向の端部に設けられた一対の接触係合部２０にそれから離隔して対応する位置に配される。次に、プラグコネクタ１２のハウジング２５のリセプタクルコネクタ１１のハウジング１５に対するそれとの嵌合状態をとるための移動に伴って、接触係合部３５が、接触係合部２０に向けてハウジング嵌合方向に沿って移動せしめられて、図１１に示されるように接触係合部２０に係合せしめられ、さらに、ハウジング２５のハウジング１５に対する嵌合が完了するまで、リセプタクルコネクタ１１のハウジング１５の底面部１５ａに向けて移動せしめられて、図９に示される接触係合部２０と接触係合部３５との相互係合状態がとられる。
【００４０】
斯かる際には、リセプタクルコネクタ１１のシェル部材１６に設けられた接触係合部２０にハウジング嵌合方向に沿って配列配置された係合突起部２１及び接触突起部２２と、プラグコネクタ１２のシェル部材２６に設けられた接触係合部３５にハウジング嵌合方向に沿って配列配置された接触受け部３６及び係合受け部３７とが、次のような状態におかれる。先ず、接触係合部２０における係合突起部２１が、接触係合部３５における接触受け部３６に対してそれを擦りつつ移動する摺接を行い、その後、接触係合部２０における接触突起部２２が、係合突起部２１による摺接を受けた接触受け部３６に当接接触するとともに、接触受け部３６に対する摺接を行った係合突起部２１が、接触係合部３５における係合受け部３７に係合して当該係合受け部３７により係止されるものとされる。
【００４１】
このようにして、接触係合部２０における接触突起部２２が、接触係合部２０における係合突起部２１による摺接を受けた接触係合部３５における接触受け部３６に当接接触することにより、接触係合部３５が設けられたプラグコネクタ１２のシェル部材２６が、接触係合部２０が設けられたリセプタクルコネクタ１１のシェル部材１６との電気的接続が確実になされたものとされ、かつ、接触係合部２０における係合突起部２１が、接触係合部３５における接触受け部３６に対する摺接を行った後、接触係合部３５における係合受け部３７に係合して当該係合受け部３７により係止されることにより、プラグコネクタ１２のハウジング２５のリセプタクルコネクタ１１のハウジング１５との嵌合状態が適正かつ安定に維持される。
【００４２】
上述のリセプタクルコネクタ１１とプラグコネクタ１２とにより構成される本願発明に係る相互係合コネクタ装置の一例にあっては、リセプタクルコネクタ１１のシェル部材１６に設けられた接触係合部２０に、ハウジング嵌合方向に沿う方向に配列配置された係合突起部２１と接触突起部２２とが設けられるとともに、プラグコネクタ１２のシェル部材２６に設けられた接触係合部３５に、ハウジング嵌合方向に沿う方向に配列配置された接触受け部３６と係合受け部３７とが設けられているが、斯かる例とは異なり、プラグコネクタ１２のシェル部材２６に設けられた接触係合部３５に、ハウジング嵌合方向に沿う方向に配列配置された係合突起部２１と接触突起部２２とが設けられるとともに、リセプタクルコネクタ１１のシェル部材１６に設けられた接触係合部２０に、ハウジング嵌合方向に沿う方向に配列配置された接触受け部３６と係合受け部３７とが設けられる他の例も考えられる。
【００４３】
図１２〜図１４は、斯かる他の例を示す。図１２〜図１４においては、リセプタクルコネクタ１１のシェル部材１６における長手方向の端部に相互対向するものとして配された一対の接触係合部２０（第１の接触係合部）の夫々に、接触受け部３６と係合受け部３７とがハウジング嵌合方向に沿う方向に配列配置されて設けられており、また、プラグコネクタ１２のシェル部材２６における長手方向の端部に相互対向するものとして配された一対の接触係合部３５（第２の接触係合部）の夫々に、係合突起部２１と接触突起部２２とがハウジング嵌合方向に沿う方向に配列配置されて設けられている。このような、接触受け部３６と係合受け部３７とが設けられた接触係合部２０を有したシェル部材１６を備えたリセプタクルコネクタ１１及び係合突起部２１と接触突起部２２とが設けられた接触係合部３５を有したシェル部材２６を備えたプラグコネクタ１２は、係合突起部２１，接触突起部２２，接触受け部３６及び係合受け部３７以外の部分については、図１〜図１１に示される前述の例と同様に構成されており、リセプタクルコネクタ１１が回路基板１３に装着されること、さらには、プラグコネクタ１２に複数のケーブル１４が接続されることについても、図１〜図１１に示される前述の例と同様である。
【００４４】
図１２〜図１４に示されるリセプタクルコネクタ１１のシェル部材１６に設けられた一対の接触係合部２０の夫々にあっては、ハウジング嵌合方向に沿う方向に配列配置されて設けられた接触受け部３６と係合受け部３７とが、接触受け部３６が凹部を成すものとして形成されるとともに係合受け部３７が切溝部を成すものとして形成されて、ハウジング嵌合方向において係合受け部３７が外側となり接触受け部３６が内側となる状態をもって配置されている。また、図１２〜図１４に示されるプラグコネクタ１２のシェル部材２６に設けられた一対の接触係合部３５の夫々にあっては、ハウジング嵌合方向に沿う方向に配列配置されて設けられた係合突起部２１と接触突起部２２とが、例えば、同形を成すものとして形成されて、ハウジング嵌合方向において係合突起部２１が外側となり接触突起部２２が内側となる状態をもって配置されている。
【００４５】
このような図１２〜図１４に示される例にあっては、プラグコネクタ１２がリセプタクルコネクタ１１との嵌合連結状態におかれるとき、リセプタクルコネクタ１１のシェル部材１６における長手方向の端部に設けられた一対の接触係合部２０の夫々と、プラグコネクタ１２のシェル部材２６における長手方向の端部に設けられた一対の接触係合部３５の夫々とが、相互係合状態におかれる。接触係合部２０と接触係合部３５とが相互係合状態におかれたときには、接触係合部３５に設けられた係合突起部２１が、接触係合部２０に設けられた切溝部を成す係合受け部３７に係合して当該係合受け部３７により係止されるとともに、接触係合部３５に設けられた接触突起部２２が、接触係合部２０に設けられた凹部を成す接触受け部３６に当接接触したものとされる。
【００４６】
接触係合部２０と接触係合部３５とが相互係合状態におかれるにあたっては、先ず、図１２に示されるように、プラグコネクタ１２のシェル部材２６における長手方向の端部に設けられた一対の接触係合部３５が、リセプタクルコネクタ１１のシェル部材１６における長手方向の端部に設けられた一対の接触係合部２０にそれから離隔して対応する位置に配される。次に、プラグコネクタ１２のハウジング２５のリセプタクルコネクタ１１のハウジング１５に対するそれとの嵌合状態をとるための移動に伴い、接触係合部３５が、接触係合部２０に向けてハウジング嵌合方向に沿って移動せしめられて、図１３に示されるように接触係合部２０に係合せしめられ、さらに、ハウジング２５についてのハウジング１５に対する嵌合が完了するまで、ハウジング１５の底面部１５ａに向けて移動せしめられて、図１４に示される接触係合部２０と接触係合部３５との相互係合状態がとられる。
【００４７】
斯かる際には、プラグコネクタ１２のシェル部材２６に設けられた接触係合部３５にハウジング嵌合方向に沿って配列配置された係合突起部２１及び接触突起部２２と、リセプタクルコネクタ１１のシェル部材１６に設けられた接触係合部２０にハウジング嵌合方向に沿って配列配置された接触受け部３６及び係合受け部３７とが、次のような状態におかれる。先ず、接触係合部３５における係合突起部２１が、接触係合部２０における接触受け部３６に対してそれを擦りつつ移動する摺接を行い、その後、接触係合部３５における接触突起部２２が、係合突起部２１による摺接を受けた接触受け部３６に当接接触するとともに、接触受け部３６に対する摺接を行った係合突起部２１が、接触係合部２０における係合受け部３７に係合して当該係合受け部３７により係止されるものとされる。
【００４８】
斯かる図１２〜図１４に示される例によっても、前述の図１〜図１１に示される例により得られる作用効果と同様な作用効果が得られることは、プラグコネクタ１２のシェル部材２６に設けられた接触係合部３５がリセプタクルコネクタ１１のシェル部材１６に設けられた接触係合部２０に係合するにあたっての、接触係合部３５に設けられた係合突起部２１及び接触突起部２２と接触係合部２０に設けられた接触受け部３６及び係合受け部３７との相互係合動作からして明らかである。
【００４９】
上述のようなリセプタクルコネクタ１１とプラグコネクタ１２とを含んで構成される本願発明に係る相互係合コネクタ装置の例においては、プラグコネクタ１２のハウジング２５が回路基板１３に装着されたリセプタクルコネクタ１１のハウジング１５との嵌合状態をとってプラグコネクタ１２がリセプタクルコネクタ１１との嵌合連結状態におかれ、プラグコネクタ１２のシェル部材２６に設けられた接触係合部３５がリセプタクルコネクタ１１のシェル部材１６に設けられた接触係合部２０との係合状態をとるとき、接触係合部２０と接触係合部３５とのうちの一方にハウジング嵌合方向に沿う方向に配列配置されて設けられた係合突起部２１及び接触突起部２２のうちの係合突起部２１が、接触係合部２０と接触係合部３５とのうちの他方にハウジング嵌合方向に沿う方向に配列配置されて設けられた接触受け部３６及び係合受け部３７のうちの接触受け部３６に対する摺接を行った後係合受け部３７により係止されるとともに、係合突起部２１及び接触突起部２２のうちの接触突起部２２が、係合突起部２１による摺接を受けた接触受け部３６に当接接触するので、接触突起部２２は、移動する係合突起部２１により擦られて、不所望な被膜や塵埃等が付着していたとしてもそれらが払い退けられたものとされた接触受け部３６に当接接触することになる。それにより、プラグコネクタ１２がリセプタクルコネクタ１１との嵌合連結状態におかれるもとにおいて、接触突起部２２が、接触受け部３６に付着した不所望な被膜や塵埃等により妨げられることなく、接触受け部３６に確実に接触するものとされて、リセプタクルコネクタ１１のシェル部材１６とプラグコネクタ１２のシェル部材２６とが電気的に相互接続された状態が適正かつ確実に得られる。
【００５０】
また、上述の本願発明に係る相互係合コネクタ装置の例においては、プラグコネクタ１２のシェル部材２６に設けられた接触係合部３５がリセプタクルコネクタ１１のシェル部材１６に設けられた接触係合部２０との係合状態をとるとき、接触係合部２０及び接触係合部３５のうちの一方にハウジング嵌合方向に沿う方向に配列配置された係合突起部２１及び接触突起部２２のうちの係合突起部２１が、接触係合部２０及び接触係合部３５のうちの他方にハウジング嵌合方向に沿う方向に配列配置された接触受け部３６及び係合受け部３７のうちの係合受け部３７により係止されるので、接触係合部３５の接触係合部２０との係合状態が適正に維持される。それにより、プラグコネクタ１２がリセプタクルコネクタ１１との嵌合連結状態におかれるもとにおいて、リセプタクルコネクタ１１のシェル部材１６とプラグコネクタ１２のシェル部材２６とが電気的に相互接続された状態が適正かつ安定に維持される。
【産業上の利用可能性】
【００５１】
以上のような本願発明に係る相互係合コネクタ装置は、回路基板に装着される、例えば、リセプタクルコネクタとされる第１のコネクタと、例えば、複数のケーブルや配線基板が接続されるプラグコネクタとされる第２のコネクタとを含み、第１のコネクタが第１のシェル部材を備えるとともに第２のコネクタが第２のシェル部材を備えて構成されるもとで、第１のコネクタに第２のコネクタが嵌合連結されるとき、第１のシェル部材と第２のシェル部材とが電気的に相互接続された状態が適正かつ確実に得られることになるものとして、様々な電子機器等に広く適用され得るものである。
【符号の説明】
【００５２】
１１・・・リセプタクルコネクタ（第１のコネクタ），  １２・・・プラグコネクタ（第２のコネクタ），  １３・・・回路基板，  １３ａ・・・部品搭載面，  １４・・・ケーブル，  １５・・・ハウジング（第１のハウジング），  １５ａ・・・底面部，  １６・・・シェル部材（第１のシェル部材），  １７・・・嵌合凹部，  １８・・・第１のリセプタクル側コンタクト（第１のコンタクト），  １８ａ，１９ａ・・・基板接続部，  １８ｂ，１９ｂ・・・接触接続部，  １９・・・第２のリセプタクル側コンタクト（第１のコンタクト），  ２０・・・接触係合部（第１の接触係合部），  ２１・・・係合突起部，  ２２・・・接触突起部，  ２４・・・接地接続部，  ２５・・・ハウジング（第２のハウジング），  ２６・・・シェル部材（第２のシェル部材），  ２７・・・第１のプラグ側コンタクト（第２のコンタクト），  ２７ａ，２８ａ・・・ケーブル接続部，  ２７ｂ，２８ｂ・・・当接受け部，  ２８・・・第２のプラグ側コンタクト（第２のコンタクト），  ３０，３１・・・信号接続部材，  ３２・・・接地接続板部材，  ３５・・・接触係合部（第２の接触係合部），  ３６・・・接触受け部，  ３７・・・係合受け部，  ４０・・・中心導体，  ４１・・・外側導体
【図１】
2017199527.tif 000003
【図２】
2017199527.tif 000004
【図３】
2017199527.tif 000005
【図４】
2017199527.tif 000006
【図５】
2017199527.tif 000007
【図６】
2017199527.tif 000008
【図７】
2017199527.tif 000009
【図８】
2017199527.tif 000010
【図９】
2017199527.tif 000011
【図１０】
2017199527.tif 000012
【図１１】
2017199527.tif 000013
【図１２】
2017199527.tif 000014
【図１３】
2017199527.tif 000015
【図１４】
2017199527.tif 000016